(57)【要約】      （修正有）【課題】簡易な構造を持つと同時に、点検作業員の負担を軽減し、安定して点検作業を行える構造物の点検装置を提供する。【解決手段】ヘッド部の周囲に設けられた複数の転打部１０と、ヘッド部を支持し回転させる駆動装置２０と、駆動装置２０を構造物に対し所望高さに保持あるいは移動させる支持手段３０とを備え、転打部１０は、ヘッド部の周囲に取り付けられた支持軸１１と、支持軸１１の先端に回転自在に支持され、構造物Ｔの壁面に当接する複数の転打面を周囲に有する転打子１２とを備える。【選択図】図１
0003159983.tif 000002
【実用新案登録請求の範囲】
【請求項１】
ヘッド部の周囲に設けられた複数の転打部と、ヘッド部を支持し回転させる駆動装置と、駆動装置を構造物等に対し所望高さに保持あるいは移動させる支持手段とを備え、前記転打部は、ヘッド部の周囲に取り付けられた支持軸と、支持軸の先端に回転自在に支持され、構造物等の表面に当接する複数の転打面を周囲に有する転打子とを備えることを特徴とする点検装置。
【請求項２】
駆動装置が、駆動モータと、駆動モータの駆動軸に接続された減速機構とを備え、減速機構の出力軸にヘッド部の回転軸が接続されていることを特徴とする、請求項１記載の点検装置。
【請求項３】
駆動装置の両側に突出して設けられ、転打子を構造物等の表面に安定して当接させる安定バーを備えることを特徴とする、請求項１または請求項２記載の点検装置。
【請求項４】
安定バーの先端に構造物等の表面に密着するガイドローラを備えることを特徴とする、請求項３記載の点検装置。
【請求項５】
駆動装置の両側に設けられ、風圧を受けて転打子を構造物等の表面に安定して当接させる風圧板を備えることを特徴とする、請求項１ないし請求項４のいずれか一項に記載の点検装置。
【請求項６】
駆動装置の背面側に配置され、転打子を構造物等の表面に安定して当接させる回転ファンを備えることを特徴とする、請求項１ないし請求項５のいずれか一項に記載の点検装置。
【請求項７】
支持手段が伸縮棹であることことを特徴とする、請求項１ないし請求項６のいずれか一項に記載の点検装置。
【請求項８】
支持手段が吊下げ紐であることことを特徴とする、請求項１ないし請求項６のいずれか一項に記載の点検装置。
【考案の詳細な説明】
【技術分野】
【０００１】
本考案は、構造物の壁部等を形成するモルタル、タイル、コンクリート等における剥離・劣化・膨張・異物混入等の有無をその表面側から点検するために用いられる点検装置に関するものである。
【背景技術】
【０００２】
従来、建造物の壁部に付着あるいは貼り付けたモルタルやタイル等に剥離、劣化、膨張、空気・異物混入等が生じると、剥離等を生じている部位が落下し、事故を引き起こす原因となることから、定期的に点検を行うようにしている。かかる点検の方法としては、建造物屋上から昇降ゴンドラを吊下げ、昇降ゴンドラに乗った作業員が点検用ハンマーを叩打し、その反響音でモルタル等の剥離等部分の有無を判別している。かかる方法を一般に打診法と称している。
【０００３】
かかる一般の打診法に対し、本出願人は先に構造体等の点検具を提案した（特許文献１）。かかる点検具は、操作棹の先端支軸部に回転自在に支持される転打子を備え、作業者が操作棹を手に持って転打子を構造体等の表面に押し当て、この状態で、操作棹を左右、前後あるいは上下に振るか移動させることにより、転打子の転動時に発生する大きい打撃音で、点検用ハンマーと同様に、剥離等が生じている箇所と健全箇所とを判別できるようになっている。
【先行技術文献】
【特許文献】
【０００４】
【特許文献１】特開２００４−２８５８１号公報
【考案の概要】
【考案が解決しようとする課題】
【０００５】
しかしながら、特許文献１の点検具は、転打子を転動させるに際し、操作棹を左右、前後あるいは上下に振るか移動させる必要があるところ、点検範囲が建造物の広範囲に至るので作業員の負荷が大変大きい。特に建造物の高所部分など操作棹を大きく伸ばして点検せざるを得ない場合には、転打子を転動させるために操作棹を手で左右に振ったり移動させる負担がより一層大きく、作業者に多大な負担を強いるという課題があった。しかも、かかる負担から高所での転打子の転動操作が不安定に成りがちであり、かかる点においても課題が残されていた。
【０００６】
本考案は上記課題に鑑みてなされたもので、簡易な構造を持つと同時に、点検作業員の負担を軽減し得る、構造物等の点検装置を提供することを目的とする。また、安定して点検作業を行える点検装置を提供することを目的とする。
【課題を解決するための手段】
【０００７】
上記課題を解決するために、本考案に係る構造物等の点検装置は、
ヘッド部の周囲に設けられた複数の転打部と、ヘッド部を支持し回転させる駆動装置と、駆動装置を構造物等に対し所望高さに保持あるいは移動させる支持手段とを備え、前記転打部は、ヘッド部の周囲に取り付けられた支持軸と、支持軸の先端に回転自在に支持され、構造物等の表面に当接する複数の転打面を周囲に有する転打子とを備えることを主要な特徴とする。
【０００８】
本考案に係る点検装置は、駆動装置が、駆動モータと、駆動モータの駆動軸に接続された減速機構とを備え、減速機構の出力軸にヘッド部の回転軸が接続されていることを第２の特徴とする。
【０００９】
本考案に係る点検装置は、駆動装置の両側に突出して設けられ、転打子を構造物等の表面に安定して当接させる安定バーを備えることを第３の特徴とする。
【００１０】
本考案に係る点検装置は、安定バーの先端に構造物等の表面に密着するガイドローラを備えることを第４の特徴とする。
【００１１】
本考案に係る点検装置は、駆動装置の両側に設けられ、風圧を受けて転打子を構造物等の表面に安定して当接させる風圧板を備えることを第５の特徴とする。
【００１２】
本考案に係る点検装置は、駆動装置の背面側に配置され、転打子を構造物等の表面に安定して当接させる回転ファンを備えることを第６の特徴とする。
【００１３】
本考案に係る点検装置は、支持手段が伸縮棹であることを第７の特徴とする。
【００１４】
本考案に係る点検装置は、支持手段が吊下げ紐であることを第８の特徴とする。
【考案の効果】
【００１５】
以上説明したように、本考案に係る点検装置によると、作業者が自らの手で転打子を転動操作することなく、構造物等の表面に対し駆動装置により転打子を安定して転動させて転打することができ、これにより作業者の点検負担を減らしながら、構造物等の低い位置から高所に至るまで広範囲に、安定して効率よく、モルタル、タイル等の剥離・劣化・膨張等の有無の点検作業を行うことができるという、優れた効果を奏する。
【図面の簡単な説明】
【００１６】
【図１】本考案の第１の実施形態を示すもので、点検装置の全体正面図、
【図２】図１に示す点検装置の転打子と支持軸を示す要部拡大側面図、
【図３】（Ａ）は図２に示す転打子と支持軸を示す要部拡大断面図、（Ｂ）は（Ａ）のＢ−Ｂ線矢視断面図、
【図４】図２に示す転打子が構造物の壁面を転打する様子を示す側面図、
【図５】図２に示す転打子が構造物の壁面を転打する様子を示す平面図、
【図６】図１に示す点検装置の要部を示す側面図、
【図７】図１に示す点検装置を用いて構造物の壁面の点検をしている様子を示す正面図、
【図８】本考案の第２の実施形態を示すもので、点検装置の斜視図、
【図９】図８に示す点検装置の正面図、
【図１０】図８に示す点検装置の作用を示す平面図、
【図１１】図８に示す点検装置を用いて構造物の壁面の点検をしている様子を示す正面図である。
【考案を実施するための最良の形態】
【００１７】
本考案を実施するための最良の実施形態を図面を参照して説明する。図１ないし図７は本考案の第１の実施形態を示すもので、これらの図において、符号Ｓ１は点検装置である。
【００１８】
点検装置Ｓ１は、図１に示すように、複数（図子例では３つ）の転打部１０と、駆動装置２０と、支持手段としての伸縮棹３０と、電源４０とを備えている。それぞれの転打部１０は、ヘッド部１６の周囲に取り付けられた支持軸１１と、支持軸１２の先端に回転自在に支持された転打子１２とを備えている。
【００１９】
転打部１０を詳述すると、図２および図３に示すように、支持軸１１の先端外周に雄ねじ部材１３が回転自在に環着され、雄ねじ部材１３の周囲に転打子１２の雌ねじ穴１４が螺合されている。支持軸１１の先端部には抜け止め用のストッパー１５が取り付けられている。これにより、転打子１２は支持軸１１の先端に回転自在に支持されている。転打子１２は、ステンレス等の金属製で直径が２５ｍｍ程度の寸法とされ、横断面形状が正六角形でかつ縦断面形状が略円形または略楕円形をもつ多面体に形成されている。転打子１２の外周面には６面の転打面１２ａが形成されている。
【００２０】
そして、図４および図５に示すように、構造物の壁面１に対し、回転中心Ｏの周囲に転打子１２を転動させることにより、壁面１に対する転打子１２の転打面１２ａの転打音により、剥離・劣化・膨張・空気異物混入等の異常の有無を明確に識別することができる。なお、転打子１２の横断面形状は正五角形ないし正８角形の形状であることが望ましい。
【００２１】
図６は点検装置Ｓ１の要部を示している。同図に示すように、転打部１０の各支持軸１１はヘッド部１６の外周面から構造物の壁面１に向けて互いに離間するように斜め前方へ向けて取り付けられている。これによりヘッド部１６が回転することにより、各支持軸１１の先端に回転自在に支持された転打子１２が構造物の壁面１を連続して転打するようになっている。ヘッド部１６は駆動装置２０の先端に支持されている。
【００２２】
駆動装置２０は、ケース体２１と、ケース体２１に取り付けられた駆動モータ２２と、ケース体２１に内蔵された減速機構２３とを備えている。駆動モータ２２の駆動軸２２aの先端にはウォーム歯車２２ｂが設けられている。減速機構２３は、ウォーム歯車２２ｂに噛み合う第１歯車２３Ａと、第１歯車２３Ａに直結された第２歯車２３Ｂと、第２歯車２３Ｂに噛み合う大径の第３歯車２３Ｃと、第３歯車２３Ｃに直結された小径の第４歯車２３Ｄと、第４歯車２３Ｅに噛み合う大径の第５歯車２３Ｅを備え、第５歯車２３Ｅにヘッド部１６の回転軸１６ａが直結されている。駆動モータ２２からは電源４０に接続されるコード２４が延びている。これにより、駆動モータ２２からの回転駆動力が減速機構２３を介して減速されてヘッド部１６の回転軸１６ａに伝達され、各転打部１０を低速で回転させるようになっている。
【００２３】
ケース体２１はコンパクトな外形寸法をもち、その下面には支持部材２５が固定されている。支持部材２５は伸縮棹３０の最上段部３０Ａの上端に固定されている。これにより、駆動装置２０は伸縮棹３０の最上段部３０Ａの上端に支持部材２５を介して載置されている。伸縮棹３０は複数の段部を備えるとともに、最下段部から第２段部以降を引き出して全体を伸長させ、最下段部に第２段部以降を没させて全体を縮小させることができる。
【００２４】
図７は点検装置Ｓ１を用いて構造物Ｔの壁面１を点検している様子を示している。壁面１の点検箇所の高さに合わせて伸縮棹３０の長さを調節し、伸縮棹３０を手に把持して、コード２４の途中に設けられたスイッチ２６を入れると、伸縮棹３０の先端の各転打部１０がヘッド部１６の回転軸１６ａ周りに低速移動する。各転打部１０はそれぞれ転打子１２が自転しながらヘッド部１６の回転軸１６ａの周囲を低速で公転する。これにより、回転軸１６ａの周囲を転動する各転打子１２の転打音により、当該点検箇所における剥離等の有無の点検を行うことができる。
【００２５】
本実施形態によると、各転打子１２を転動させるに際し、作業者が手にもった伸縮棹３０を左右や上下に振ったり移動させることがないから、従来に比べると、作業者の負荷を大きく減らすことができるし、常に安定した転打音を発生させることで、効率的にかつ広範囲に点検作業を行うことができる。
【００２６】
図８ないし図１１は本考案の第２の実施形態を示すもので、これらの図において、符号Ｓ２は点検装置を示している。
【００２７】
図８および図９に示すように、点検装置Ｓ２は、複数（図子例では４つ）の転打部１０と、駆動装置５０と、支持手段としての吊下げ紐６０と、電源７０とを備えている。それぞれの転打部１０は、点検装置Ｓ１と同じく、ヘッド部１６の周囲に取り付けられた支持軸１１と、支持軸１２の先端に回転自在に支持された転打子１２とを備えており、ヘッド部１６が回転することにより、各支持軸１１の先端の転打子１２が構造物の壁面１を連続して転打するようになっている。ヘッド部１６は駆動装置５０の先端に回転可能に支持されている。
【００２８】
駆動装置５０は、ケース体５１と、ケース体５１に内蔵された駆動モータ５２と、ケース体５１に内蔵された減速機構５３とを備えている。駆動モータ５２の回転駆動力はウォーム歯車５２ａから減速機構５３に伝達され、減速機構５３からさらにヘッド部１６の回転軸１６ａに伝達されるようになっている。駆動モータ５２からは電源７０に接続されるコード５４が延びている。これにより、駆動モータ５２からの回転駆動力が減速機構５３を介して減速されてヘッド部１６の回転軸１６ａに伝達され、各転打部１０を低速で回転させるようになっている。ケース体５１の上面には紐吊下げ部５５が設けられている。この紐吊下げ部５５はケース体５１の上面に固着された固着板５５ａとこの固着板５５ａに係止されたフック５５ｂとから構成されており、フック５５ｂに吊下げ紐６０の下端フック６０ａをスプリング６１を介して掛止するようになっている。なお、コード５４は吊下げ紐６０に途中巻き付けられる等して一体に取扱い可能である。
【００２９】
ケース体５１の前面には取付部材８１が設けられると共に、取付部材８１にはケース体５１の前面から左右両側に突出する安定バー８２，８２が取り付けられている。各安定バー８２は、転打子１２を構造物Ｔの壁面１に安定して当接させる役目をするもので、取付部材８１から左右に平行に延在するとともに、途中から屈曲して先端に行くに従い壁面１に次第に接近する屈曲部８２ａがそれぞれ形成されている。左右の屈曲部８２ａの先端はそれぞれ下向きに曲げられて支持部８２ｂが形成されている。各支持部８２ｂには構造物Ｔの壁面１に密着するガイドローラ８３が回転自在に支持されている。この左右のガイドローラ８３，８３と安定バー８２，８２の働きによって、ヘッド部１６の前方の転打子１２を構造物Ｔの壁面１に安定して当接させることができる。
【００３０】
ケース体５１の背面には、左右の取付部材８４を介して回転ファン取付板８５が取り付けられている。この回転ファン取付板８５には開口部８５ａが設けられるとともに、この開口部８５ａに回転ファン８６を位置させるようにして、回転ファン８６を内蔵するファンケース体８６ａが回転ファン取付板８５の背面に取り付けられている。回転ファン８６の回転軸８６ｂには、図９の駆動モータ５２からの回転駆動力が伝達されるようになっている。そして、回転ファン８６の回転駆動によって、回転ファン取付板８５の内側、すなわち構造物Ｔの壁面１側から回転ファン取付板８５の外側へ空気の流れＦが形成され、これにより回転ファン取付板８５の内側が負圧傾向になり、ヘッド部１６前方の転打子１２を構造物Ｔの壁面１に安定して当接させる役目をする。
【００３１】
回転ファン取付板８５の両側面には風圧板８７，８７が取り付けられている。かかる風圧板８７，８７は、図１０に示すように、回転ファン取付板８５から左右に離れるに従って構造物Ｔの壁面１に接近するように屈曲する形で設けられている。これにより、横方向からの風圧Ｗを風圧板８７が受けて、ヘッド部１６前方の転打子１２を構造物Ｔの壁面１に安定して当接させる役目をする。
【００３２】
図１１は点検装置Ｓ２を用いて屋上から構造物Ｔの壁面１を点検している様子を示している。構造物Ｔの高さによっては図１の点検装置Ｓ１では点検箇所に届かない場合が想定される。かかる場合、構造物Ｔの屋上２から吊下げ紐６０により点検装置Ｓ２をゆっくりと降ろし、図１１に示すように振り子の要領によって（移動軌跡Ｌ）点検装置Ｓ２を左右に振りながら徐々に下から上へ移動させつつ点検を行なう。点検に際しては、手元の図示しないスイッチを入れて駆動モータ５２を回転駆動させ、これにより駆動装置５０前面のヘッド部１６の回転軸１６ａ周りに転打子１２を低速移動させると同時に、回転ファン８６を回転させる。
【００３３】
回転ファン８６の回転により回転ファン取付板８５の内側が負圧傾向となって、各転打子１２が構造物Ｔの壁面１に対し風圧により適度に押圧されるとともに、各転打子１２は左右のガイドローラ８３および安定バー８２の安定化作用により、各転打子１２が構造物Ｔの壁面１に安定して当接される。かかる安定した当接状態で、各転打子１２がヘッド部１６の回転軸１６ａの周囲を低速で転動することより、各転打子１２から発する転打音により、当該点検箇所における剥離等の有無を明確に識別し、点検することができる。
【００３４】
また、横風があると横風の風圧Ｗを受けて、吊下げ紐６０により吊下げられた駆動装置５０が左右や前後に揺れて点検中に各転打子１２の当接姿勢や当接状態が不安定になることが想定されるが、風圧板８７，８７を設けたことにより、逆に横風からの風圧Ｗを安定化させる手段として用いることができる。ここで、上に述べた安定バー８２、ガイドローラ８３、回転ファン８６、風圧板８７は、点検時に駆動装置５０の壁面１に対する位置を安定させ、転打子１２による転打を常に安定させる安定化手段を構成する。
【００３５】
転打子１２を転動させるに際し、作業者が吊下げ紐６０を持った手を左右や上下に振ったり移動させることがないから、従来に比べると、作業者の負荷を大きく減らすことができるし、上に述べた安定化手段によって常に安定した転打音を発生させることで、効率的にかつ広範囲に点検作業を行うことができる。
【００３６】
吊下げ紐６０により吊下げた点検装置Ｓ２を振り子方式で左右に振ることにより、壁面１の点検作業を素早くかつ安定的に実施することができる。すなわち、点検装置Ｓ２を振り子の要領で左右に振ることにより、各転打子１２による点検実施中（点検範囲Ａ）の点検装置Ｓ２を左右にスムーズに移動させることができ、また、その際に点検装置Ｓ２は回転ファン８７の風圧により常に安定して壁面１に押し付けられるから、点検装置Ｓ２の移動速度を早くして、点検作業の効率を早めることができる。
【００３７】
以上説明してきたように、本考案の点検装置は、作業者の負担を軽減しながら、構造物の低い位置から高所に至るまで、広範囲にかつ安定して効率よく、モルタル、タイル等の剥離・劣化・膨張等の有無の点検作業を行うことができ、極めて利便性に優れている。また、構造も簡素であり、安価な製作費用でもって製作することができる。
【産業上の利用可能性】
【００３８】
本考案に係る点検装置は、構造物の壁部等を形成するモルタル、タイル、コンクリート等における剥離・劣化・膨張・異物混入等の有無をその表面側から点検する点検装置として、幅広く利用可能である。
【符号の説明】
【００３９】
１  壁面（表面）
２  屋上
１０  転打部
１１  支持軸
１２  転打子
１２ａ  転打面
１３  雄ねじ部材
１４  雌ねじ穴
１５  ストッパー
１６  ヘッド部
１６ａ，８６ｂ  回転軸
２０，５０  駆動装置
２１，５１  ケース体
２２，５２  駆動モータ
２２ａ  駆動軸
２２ｂ，５２ａ  ウォーム歯車
２３，５３  減速機構
２３Ａ  第１歯車
２３Ｂ  第２歯車
２３Ｃ  第３歯車
２３Ｄ  第４歯車
２３Ｅ  第５歯車
２４，５４  コード
２５  支持部材
３０  伸縮棹（支持手段）
３０Ａ  最上段部
４０  電源
５５  紐吊下げ部
５５ａ  固着板
５５ｂ，６０ａ  フック
６０  吊下げ紐（支持手段）
６１  スプリング
８１，８４  取付部材
８２  安定バー
８２ａ  屈曲部
８２ｂ  支持部
８３  ガイドローラ
８５  回転ファン取付板
８５ａ  開口部
８６  回転ファン
８７  風圧板
Ａ  転打子による点検範囲
Ｔ  構造物
Ｌ  振り子方式による点検装置の移動軌跡
Ｒ  空気の流れ
Ｗ  風圧
【図１】
0003159983.tif 000003
【図２】
0003159983.tif 000004
【図３】
0003159983.tif 000005
【図４】
0003159983.tif 000006
【図５】
0003159983.tif 000007
【図６】
0003159983.tif 000008
【図７】
0003159983.tif 000009
【図８】
0003159983.tif 000010
【図９】
0003159983.tif 000011
【図１０】
0003159983.tif 000012
【図１１】
0003159983.tif 000013
【手続補正書】
【提出日】平成22年3月10日(2010.3.10)
【手続補正１】
【補正対象書類名】実用新案登録請求の範囲
【補正対象項目名】全文
【補正方法】変更
【補正の内容】
【実用新案登録請求の範囲】
【請求項１】
ヘッド部の周囲に設けられた複数の転打部と、ヘッド部を支持し回転させる駆動装置と、駆動装置を構造物に対し所望高さに保持あるいは移動させる支持手段とを備え、前記転打部は、ヘッド部の周囲に取り付けられた支持軸と、支持軸の先端に回転自在に支持され、構造物等の表面に当接する複数の転打面を周囲に有する転打子とを備えることを特徴とする点検装置。
【請求項２】
駆動装置が、駆動モータと、駆動モータの駆動軸に接続された減速機構とを備え、減速機構の出力軸にヘッド部の回転軸が接続されていることを特徴とする、請求項１記載の点検装置。
【請求項３】
駆動装置の両側に突出して設けられ、転打子を構造物の表面に安定して当接させる安定バーを備えることを特徴とする、請求項１または請求項２記載の点検装置。
【請求項４】
安定バーの先端に構造物の表面に密着するガイドローラを備えることを特徴とする、請求項３記載の点検装置。
【請求項５】
駆動装置の両側に設けられ、風圧を受けて転打子を構造物の表面に安定して当接させる風圧板を備えることを特徴とする、請求項１ないし請求項４のいずれか一項に記載の点検装置。
【請求項６】
駆動装置の背面側に配置され、転打子を構造物の表面に安定して当接させる回転ファンを備えることを特徴とする、請求項１ないし請求項５のいずれか一項に記載の点検装置。
【請求項７】
支持手段が伸縮棹であることを特徴とする、請求項１ないし請求項６のいずれか一項に記載の点検装置。
【請求項８】
支持手段が吊下げ紐であることを特徴とする、請求項１ないし請求項６のいずれか一項に記載の点検装置。
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
ヘッド部の周囲に設けられた複数の転打部と、ヘッド部を支持し回転させる駆動装置と、駆動装置を構造物に対し所望高さに保持あるいは移動させる支持手段とを備え、前記転打部は、ヘッド部の周囲に取り付けられた支持軸と、支持軸の先端に回転自在に支持され、構造物の表面に当接する複数の転打面を周囲に有する転打子とを備えることを特徴とする点検装置。
【請求項２】
駆動装置が、駆動モータと、駆動モータの駆動軸に接続された減速機構とを備え、減速機構の出力軸にヘッド部の回転軸が接続されていることを特徴とする、請求項１記載の点検装置。
【請求項３】
駆動装置の両側に突出して設けられ、転打子を構造物の表面に安定して当接させる安定バーを備えることを特徴とする、請求項１または請求項２記載の点検装置。
【請求項４】
安定バーの先端に構造物の表面に密着するガイドローラを備えることを特徴とする、請求項３記載の点検装置。
【請求項５】
駆動装置の両側に設けられ、風圧を受けて転打子を構造物の表面に安定して当接させる風圧板を備えることを特徴とする、請求項１ないし請求項４のいずれか一項に記載の点検装置。
【請求項６】
駆動装置の背面側に配置され、転打子を構造物の表面に安定して当接させる回転ファンを備えることを特徴とする、請求項１ないし請求項５のいずれか一項に記載の点検装置。
【請求項７】
支持手段が伸縮棹であることを特徴とする、請求項１ないし請求項６のいずれか一項に記載の点検装置。
【請求項８】
支持手段が吊下げ紐であることを特徴とする、請求項１ないし請求項６のいずれか一項に記載の点検装置。
【手続補正２】
【補正対象書類名】明細書
【補正対象項目名】０００６
【補正方法】変更
【補正の内容】
【０００６】
本考案は上記課題に鑑みてなされたもので、簡易な構造を持つと同時に、点検作業員の負担を軽減し得る、構造物の点検装置を提供することを目的とする。また、安定して点検作業を行える点検装置を提供することを目的とする。
【手続補正３】
【補正対象書類名】明細書
【補正対象項目名】０００７
【補正方法】変更
【補正の内容】
【０００７】
上記課題を解決するために、本考案に係る構造物の点検装置は、
ヘッド部の周囲に設けられた複数の転打部と、ヘッド部を支持し回転させる駆動装置と、駆動装置を構造物に対し所望高さに保持あるいは移動させる支持手段とを備え、前記転打部は、ヘッド部の周囲に取り付けられた支持軸と、支持軸の先端に回転自在に支持され、構造物の表面に当接する複数の転打面を周囲に有する転打子とを備えることを主要な特徴とする。
【手続補正４】
【補正対象書類名】明細書
【補正対象項目名】０００９
【補正方法】変更
【補正の内容】
【０００９】
本考案に係る点検装置は、駆動装置の両側に突出して設けられ、転打子を構造物の表面に安定して当接させる安定バーを備えることを第３の特徴とする。
【手続補正５】
【補正対象書類名】明細書
【補正対象項目名】００１０
【補正方法】変更
【補正の内容】
【００１０】
本考案に係る点検装置は、安定バーの先端に構造物の表面に密着するガイドローラを備えることを第４の特徴とする。
【手続補正６】
【補正対象書類名】明細書
【補正対象項目名】００１１
【補正方法】変更
【補正の内容】
【００１１】
本考案に係る点検装置は、駆動装置の両側に設けられ、風圧を受けて転打子を構造物の表面に安定して当接させる風圧板を備えることを第５の特徴とする。
【手続補正７】
【補正対象書類名】明細書
【補正対象項目名】００１２
【補正方法】変更
【補正の内容】
【００１２】
本考案に係る点検装置は、駆動装置の背面側に配置され、転打子を構造物の表面に安定して当接させる回転ファンを備えることを第６の特徴とする。
【手続補正８】
【補正対象書類名】明細書
【補正対象項目名】００１５
【補正方法】変更
【補正の内容】
【００１５】
以上説明したように、本考案に係る点検装置によると、作業者が自らの手で転打子を転動操作することなく、構造物の表面に対し駆動装置により転打子を安定して転動させて転打することができ、これにより作業者の点検負担を減らしながら、構造物の低い位置から高所に至るまで広範囲に、安定して効率よく、モルタル、タイル等の剥離・劣化・膨張等の有無の点検作業を行うことができるという、優れた効果を奏する。